(57)【要約】      （修正有）【課題】着用時に小顔効果が得られるマスクを提供する。【解決手段】マスク１００は、マスク本体部１１と、一対の耳掛部１２とを備え、マスク本体部１１は、該マスク本体部の外面に、本体領域Ｒ１と、錯視部として本体領域の色よりも相対的に暗い陰影領域Ｒ２とを含み、陰影領域Ｒ２は、少なくともマスク本体部１１の両側部に形成される。【選択図】図１
0003231655.tif 000002
【実用新案登録請求の範囲】
【請求項１】
着用者の鼻孔及び口許を覆うマスク本体部と、
前記マスク本体部の幅方向の両側部に接続された一対の耳掛部とを備えるマスクであって、
前記マスク本体部は、該マスク本体部を立体的に見せる錯視を生じさせる錯視部を有する、マスク。
【請求項２】
前記マスク本体部は、該マスク本体部の外面に、本体領域と、前記錯視部として前記本体領域の色よりも相対的に暗い陰影領域とを含み、
前記陰影領域は、少なくとも前記マスク本体部の前記両側部に形成される、請求項１に記載のマスク。
【請求項３】
前記陰影領域は、前記本体領域との境界から遠ざかる方向へ向かって色が徐々に暗くなる、請求項２に記載のマスク。
【請求項４】
前記陰影領域は、複数のドットを含み、
前記本体領域との境界から遠ざかる方向へ向かって、前記ドットの密度が高くなる、請求項２に記載のマスク。
【請求項５】
前記陰影領域は、前記マスク本体部の前記着用者の顎に対応する部分にさらに形成される、請求項２から４のいずれか１項に記載のマスク。
【請求項６】
前記陰影領域は、前記マスク本体部の前記着用者の頬骨の下側に対応する部分にさらに形成される、請求項２から４のいずれか１項に記載のマスク。
【請求項７】
前記本体領域は、前記マスク本体部の前記着用者の鼻に対応する部分に形成され、
前記陰影領域は、前記本体領域の周囲に形成される、請求項２から４のいずれか１項に記載のマスク。
【請求項８】
前記一対の耳掛部は、前記陰影領域と同色である、請求項２から７のいずれか１項に記載のマスク。
【請求項９】
前記本体領域と前記陰影領域とは同系色である、請求項２から８のいずれか１項に記載のマスク。
【請求項１０】
前記マスク本体部は、該マスク本体部の外面に、前記錯視部として互いに並行する複数の線が形成され、
互いに隣り合う前記線同士の間隔がそれぞれ異なる、請求項１から９のいずれか１項に記載のマスク。
【請求項１１】
前記複数の線は、
前記マスク本体部の前記着用者の鼻の頂点に対応する部分から前記両側部へ向かって前記間隔が小さくなる、または、
前記幅方向と直交する上下方向の上側から下側へ向かって前記間隔が小さくなる、請求項１０に記載のマスク。
【考案の詳細な説明】
【技術分野】
【０００１】
本考案はマスクに関し、より詳細には着用時に小顔効果が得られるマスクに関する。
【背景技術】
【０００２】
従来、着用者の鼻孔及び口許を覆うマスク本体部と、一対の耳掛部とを備えたマスクにおいて、一部または全部に着色が施されたマスクが知られている。この種のマスクに関して、例えば特許文献１には、マスク本体部と耳掛部とで色を異ならせることによって、マスクの内面と外面とを容易に区別できるマスクが開示されている。
【先行技術文献】
【特許文献】
【０００３】
【特許文献１】特開２０２０−４１２５４号公報
【考案の概要】
【考案が解決しようとする課題】
【０００４】
しかしながら、上述のような従来技術では、マスク本体部の外面が一様に着色されており、着用時にマスク本体部の外面に明暗が生じ難い。このため、着用者の顔が立体的に視認されず、小顔の印象を与える視覚的効果である小顔効果が得られ難いという課題があった。
【０００５】
本考案の一態様は、上記従来の課題に鑑みてなされたものであって、その目的は、着用時に小顔効果が得られるマスクを提供することにある。
【課題を解決するための手段】
【０００６】
上記の課題を解決するために、本考案の一態様に係るマスクは、着用者の鼻孔及び口許を覆うマスク本体部と、前記マスク本体部の幅方向の両側部に接続された一対の耳掛部とを備えるマスクであって、前記マスク本体部は、該マスク本体部を立体的に見せる錯視を生じさせる錯視部を有する。
【０００７】
前記構成では、マスク本体部の錯視部により、マスク本体部が立体的に見える視覚効果が生じる。従って、前記構成によれば、マスク着用時に小顔効果が得られるマスクを実現することができる。
【０００８】
また、本考案の一態様に係るマスクは、前記マスク本体部は、該マスク本体部の外面に、前記錯視部として前記本体領域と該本体領域の色よりも相対的に暗い陰影領域とを含み、前記陰影領域は、少なくとも前記マスク本体部の前記両側部に形成されていてもよい。
【０００９】
前記構成では、錯視部としてマスク本体部の両側部に陰影領域が形成されている。そのため、マスク着用時に着用者の顔の側面部分の奥行き感が強調され、顔の幅が狭く見える視覚効果が生じる。従って、前記構成によれば、マスク着用時に小顔効果が得られるマスクを実現することができる。
【００１０】
また、本考案の一態様に係るマスクは、前記陰影領域は、前記本体領域との境界から遠ざかる方向へ向かって色が徐々に暗くなっていてもよい。
【００１１】
前記構成では、陰影領域の色は、本体領域と陰影領域との境界から遠ざかる方向へ向かって色が徐々に暗くなっていくため、陰影領域の色が自然な影の明暗に近くなる。従って、前記構成によれば、小顔効果を自然に演出することができる。
【００１２】
また、本考案の一態様に係るマスクは、前記陰影領域は、複数のドットを含み、前記本体領域との境界から遠ざかる方向へ向かって、前記ドットの密度が高くなってもよい。
【００１３】
前記構成では、陰影領域の色は、複数のドットの密度を変化させることより、本体領域と陰影領域との境界から遠ざかる方向へ向かって色が徐々に暗くなっていくため、陰影領域の色が自然な影の明暗に近くなる。従って、前記構成によれば、小顔効果を自然に演出することができる。
【００１４】
また、本考案の一態様に係るマスクは、前記陰影領域は、前記マスク本体部の前記着用者の顎に対応する部分にさらに形成されていてもよい。
【００１５】
前記構成では、マスク本体部において、着用者の顎に対応する部分に陰影領域が形成されている。そのため、マスク着用時に着用者の顎の部分の奥行き感が強調され、顔の長さが短く見える視覚効果が生じる。従って、前記構成によれば、マスク着用時に高い小顔効果が得られる。
【００１６】
また、本考案の一態様に係るマスクは、前記陰影領域は、前記マスク本体部の前記着用者の頬骨の下側に対応する部分にさらに形成されていてもよい。
【００１７】
前記構成では、マスク本体部において、着用者の頬骨の下側に対応する部分に陰影領域が形成されている。そのため、マスク着用時に着用者の頬の立体感が強調され、顔の幅が狭く見える視覚効果が生じる。従って、前記構成によれば、マスク着用時に高い小顔効果が得られる。
【００１８】
また、本考案の一態様に係るマスクは、前記本体領域は、前記マスク本体部の前記着用者の鼻に対応する部分に形成され、前記陰影領域は、前記本体領域の周囲に形成されていてもよい。
【００１９】
前記構成では、陰影領域は、マスク本体部において着用者の鼻に対応する部分の周囲に形成されているため、マスク着用時において、顔の中心が明るく輪郭側が暗くなる。従って、前記構成によれば、顔の中心が前に出る立体感が生じ、小顔効果が得られる。
【００２０】
また、本考案の一態様に係るマスクは、前記一対の耳掛部は、前記陰影領域と同色であってもよい。
【００２１】
前記構成では、陰影領域と耳掛部とは同色である。そのため、マスク本体部の両側部と耳掛部とに一体感が生じる。従って、前記構成によれば、マスク本体部の両側部と耳掛部とが一体となって、着用者の顔の側面部分の奥行き感を強調することができる。
【００２２】
また、本考案の一態様に係るマスクは、前記本体領域と前記陰影領域とは同系色であってもよい。
【００２３】
前記構成によれば、本体領域と陰影領域とは同系色であるため、本体領域と陰影領域とに一体感が生じ、小顔効果をより自然に演出することができる。
【００２４】
また、本考案の一態様に係るマスクは、前記マスク本体部は、該マスク本体部の外面に、前記錯視部として互いに並行する複数の線が形成され、互いに隣り合う前記線同士の間隔がそれぞれ異なっていてもよい。
【００２５】
前記構成では、互いに並行する複数の線は、互いに隣り合う線同士の間隔がそれぞれ異なっている。そのため、互いに隣り合う線同士の間隔を調整することで、マスクの装着時にマスクを立体的に見せることができる。従って、前記構成によれば、マスク着用時に小顔効果が得られる。
【００２６】
また、本考案の一態様に係るマスクは、前記複数の線は、前記マスク本体部の前記着用者の鼻の頂点に対応する部分から前記両側部へ向かって前記間隔が小さくなる、または、前記幅方向と直交する上下方向の上側から下側へ向かって前記間隔が小さくなってもよい。
【００２７】
前記構成によれば、マスク着用時にマスクを立体的に見せることができ、より高い小顔効果が得られる。
【考案の効果】
【００２８】
本考案の一態様によれば、着用時に小顔効果が得られるマスクを提供することができる。
【図面の簡単な説明】
【００２９】
【図１】本考案の実施形態１に係るマスクの構成例を示す正面図である。
【図２】図１に示される前記マスクの構成例を示す側面図である。
【図３】図１に示される前記マスクの構成例を示す斜視図である。
【図４】前記マスクの変形例１を示す正面図である。
【図５】前記マスクの変形例２を示す側面図である。
【図６】前記マスクの変形例３を示す側面図である。
【図７】前記マスクの変形例４を示す側面図である。
【図８】前記マスクの変形例５を示す側面図である。
【図９】前記マスクの変形例６を示す側面図である。
【図１０】前記マスクの変形例７を示す側面図である。
【図１１】本考案の実施形態２に係るマスクの構成例を示す斜視図である。
【考案を実施するための形態】
【００３０】
〔実施形態１〕
以下、本考案の一実施形態について、詳細に説明する。ただし、本考案の技術的範囲は図示例に限定されるものではない。
【００３１】
（マスク１００の構成）
本実施形態に係るマスク１００の構成を、図１から図３に基づいて説明する。図１は、本考案の実施形態１に係るマスク１００の構成例を示す正面図であり、図２は、マスク１００の側面図であり、図３は、マスク１００の斜視図である。なお、以下においては、図１に示すように、マスク１００の幅方向を左右方向ｘ、マスク１００の高さ方向を上下方向ｙとして説明する。
【００３２】
本実施形態に係るマスク１００は、風邪等のウイルスの飛散及び吸引を防止するために使用される抗菌マスク、花粉または塵埃等の吸引を防止するために使用される防塵マスク、食品工場等において使用される衛生用マスク等、各種マスクとして使用され得る。
【００３３】
マスク１００は、図１から図３に示すように、マスク本体部１１と耳掛部１２と、を備えている。マスク１００は編み機で編成されたニットから構成され、マスク本体部１１と耳掛部１２とが継ぎ目なく一連に形成されている。ただし、マスク１００は、マスク本体部１１と耳掛部１２とを個別に形成し、マスク本体部１１に耳掛部１２を接合（例えば縫合、接着、融着等）した構成であってもよい。また、マスク１００は、ニットに限定されず、不織布等で構成されていてもよい。
【００３４】
マスク本体部１１は、着用者の鼻孔及び口許を覆う。マスク本体部１１の形状は、鼻孔及び口許を覆うことができれば、図示例に限定されない。マスク本体部１１は、マスク本体部１１の左右方向ｘの両側部１１Ｂに耳掛部１２が接続されている。
【００３５】
また、マスク本体部１１は、マスク本体部１１を立体的に見せる錯視を生じさせる錯視部として、後述する陰影領域（錯視部）Ｒ２を含む。マスク本体部１１は、外面１１Ａに、本体領域Ｒ１と、本体領域Ｒ１の色よりも相対的に暗い陰影領域Ｒ２とを含む。陰影領域Ｒ２は、少なくともマスク本体部１１の両側部１１Ｂに形成されている。マスク本体部１１の外面１１Ａとは、着用時に着用者側となる面とは反対側の面である。
【００３６】
本体領域Ｒ１は、マスク本体部１１の外面１１Ａのうち、陰影領域Ｒ２以外の領域である。本実施形態では、本体領域Ｒ１は、マスク本体部１１の両側部１１Ｂを除く中心部に形成される。本体領域Ｒ１は、陰影領域Ｒ２よりも相対的に明るい色に一様に着色される。
【００３７】
陰影領域Ｒ２は、本体領域Ｒ１の色よりも相対的に暗い色に着色された領域である。ここで、「本体領域Ｒ１の色よりも暗い」とは、本体領域Ｒ１の色に比べて陰影領域Ｒ２が相対的に暗い色に視認されることであり、例えばマンセル表色系において、本体領域Ｒ１の色の明度よりも陰影領域Ｒ２の色の明度が低いことである。ただし、マンセル表色系における色相、明度または彩度の少なくとも１つを本体領域Ｒ１と陰影領域Ｒ２とで異ならせることで、本体領域Ｒ１の色に比べて陰影領域Ｒ２の色が相対的に暗く視認されるようにしてもよい。言い換えると、マンセル表色系における色相、明度または彩度の少なくとも１つを本体領域Ｒ１と陰影領域Ｒ２とで異ならせることで、陰影領域Ｒ２の色に比べて本体領域Ｒ１の色が相対的に明るく視認されるようにしてもよい。
【００３８】
陰影領域Ｒ２は、本体領域Ｒ１との境界から遠ざかる方向へ向かって色が徐々に暗くなる。言い換えると、陰影領域Ｒ２は、両側部１１Ｂから着用者の顔の中心部に対応する部分に向かって徐々に色が明るくなる。つまり、陰影領域Ｒ２は、グラデーションで形成されている。これにより、陰影領域Ｒ２の色が自然な影の明暗に近くなるため、小顔効果を自然に演出することができる。
【００３９】
本実施形態では、外面Ａの両側部１１Ｂがプリント（印刷）によって着色されることにより陰影領域Ｒ２が形成されている。ただし、外面Ａの両側部１１Ｂに複数のドットを設けることにより陰影領域Ｒ２を形成してもよく、マスク１００を編成する糸の色を変えることにより陰影領域Ｒ２を形成してもよい。また、外面Ａの両側部１１Ｂが予め着色されている生地を用いてマスク本体部１１を製造することにより陰影領域Ｒ２を形成してもよい。さらに、着用時に着用者側となるマスク本体部１１の面（内面）側の両側部１１Ｂが着色されることにより、外面１１Ａに色が透けて視認されるように陰影領域Ｒ２を形成してもよい。
【００４０】
また、本体領域Ｒ１と陰影領域Ｒ２とは同系色であることが好ましい。本体領域Ｒ１と陰影領域Ｒ２とを同系色にすることでマスク１００に一体感が生まれる。
【００４１】
耳掛部１２は、マスク本体部１１の左右方向ｘの両側部１１Ｂに接続されており、２つの耳掛部１２は一対である。耳掛部１２はマスク本体部１１を着用者の耳に係止する。これにより、着用者はマスク１００を顔に着用することができる。
【００４２】
本実施形態では、一対の耳掛部１２は、両側部１１Ｂにおける陰影領域Ｒ２の色と同色に着色されている。これにより、陰影領域Ｒ２と耳掛部１２とに一体感が生じ、陰影領域Ｒ２と耳掛部１２とが一体となって、着用者の顔の側面部分の奥行き感を強調することができる。ただし、一対の耳掛部１２は、陰影領域Ｒ２と同色ではなく、陰影領域Ｒ２とは異なる色であってもよい。
【００４３】
（マスク１００の効果）
このように、マスク１００は、着用者の鼻孔及び口許を覆うマスク本体部１１と、マスク本体部１１の左右方向ｘの両側部１１Ｂに接続された一対の耳掛部１２とを備える。マスク本体部１１は、該マスク本体部１１の外面１１Ａに、本体領域Ｒ１と該本体領域Ｒ１の色よりも相対的に暗い陰影領域Ｒ２とを含み、陰影領域Ｒ２は、少なくともマスク本体部１１の両側部１１Ｂに形成される。
【００４４】
マスク１００では、マスク本体部１１の両側部１１Ｂに陰影領域Ｒ２が形成されているため、マスク装着時に着用者の顔の側面部分の奥行き感が強調され、顔の幅が狭く見える視覚効果が生じる。従って、本実施形態によれば、マスク着用時に小顔効果が得られるマスク１００を実現することができる。
【００４５】
なお、陰影領域Ｒ２は、本体領域Ｒ１との境界から遠ざかる方向へ向かって色が徐々に暗くなるグラデーションになっていなくてもよい。例えば、本体領域Ｒ１と陰影領域Ｒ２との色の境界が明確になっていてもよい。このような場合であっても、本体領域Ｒ１の色よりも相対的に暗い色で陰影領域Ｒ２を形成することにより明暗が生じ、マスク装着時に着用者の顔の側面部分の奥行き感が強調され、マスク着用時に小顔効果が得られる。
【００４６】
〔変形例〕
本考案の実施形態の変形例について、図４〜図８に基づき説明する。なお、以下の変形例において、説明の便宜上、前記実施形態にて説明した部材と同じ機能を有する部材については、同じ符号を付記し、その説明を繰り返さない。
【００４７】
（変形例１）
本考案の変形例１について、図４に基づき説明する。図４は、マスク１００の変形例１であるマスク１０１を示す正面図である。
【００４８】
マスク１０１は、マスク１００と比較して、第１半面部１１−１と第２半面部１１−２とが接合部１１Ｃで接合されることにより形成されていることが異なり、その他の構成は同じである。
【００４９】
第１半面部１１−１と第２半面部１１−２とは、マスク本体部１１を略中央で２つに分けたものである。第１半面部１１−１はマスク本体部１１において、着用時に着用者の顔の右側を覆う部分であり、第２半面部１１−２はマスク本体部１１において、着用時に着用者の顔の左側を覆う部分である。接合部１１Ｃは、例えば、第１半面部１１−１及び第２半面部１１−２の隣り合う端部同士を熱又は超音波で融着する方法、第１半面部１１−１及び第２半面部１１−２の隣り合う端部同士を接着剤で接合する方法、等で形成されている。
【００５０】
マスク１０１において、接合部１１Ｃは、外面１１Ａ側に向かって凸な略曲線の形状を有している。そのため、一体化された第１半面部１１−１及び第２半面部１１−２は、着用者が着用する時に、着用者の顔面に対して凹面となる立体形状（立体構造）を形成することができる。これにより、着用者とマスク１０１の間に空間が生まれ、マスク１０１着用時の着用者の息苦しさを緩和することができる。
【００５１】
（変形例２）
本考案の実施形態の変形例２について、図５に基づき説明する。図５は、マスク１００の変形例２であるマスク１０２を示す側面図である。マスク１０２は、マスク１００と比較して、陰影領域Ｒ２に加え、陰影領域Ｒ２−１及び陰影領域Ｒ２−２をさらに備えていることが異なり、その他の構成は同じである。
【００５２】
陰影領域Ｒ２−１は、マスク本体部１１の着用者の頬骨の下側に対応する部分１１Ｄに形成されている。図５では着用者がマスク１０２を着用した際に頬骨に対応する箇所に点線１３を示している。図５に示すように、マスク１０２では、点線１３の下側に対応する部分１１Ｄに陰影領域Ｒ２−１が形成されている。
【００５３】
陰影領域Ｒ２−２は、マスク本体部１１の着用者の顎に対応する部分１１Ｅに形成されている。
【００５４】
マスク１０２では、マスク本体部１１に陰影領域Ｒ２−１が形成されているため、マスク着用時に着用者の頬の立体感が強調され、顔の幅が狭く見える視覚効果が生じる。また、マスク１０２では、マスク本体部１１に陰影領域Ｒ２−２が形成されているため、マスク着用時に着用者の顎の部分の奥行き感が強調され、顔の長さが短く見える視覚効果が生じる。従って、マスク１０２によれば、マスク着用時に高い小顔効果が得られる。
【００５５】
また、陰影領域Ｒ２−１及び陰影領域Ｒ２−２は、陰影領域Ｒ２と同様にグラデーションで形成されている。陰影領域Ｒ２−１及び陰影領域Ｒ２−２は、陰影領域Ｒ２と同系色のグラデーションで形成されていることが望ましい。
【００５６】
（変形例３）
本考案の実施形態の変形例３について、図６に基づき説明する。図６は、マスク１００の変形例３であるマスク１０３を示す側面図である。マスク１０３は、マスク１００と比較して、本体領域Ｒ１及び陰影領域Ｒ２の範囲が異なり、その他の構成は同じである。
【００５７】
マスク１０３において、本体領域Ｒ１は、マスク本体部１１の着用者の鼻に対応する部分に形成され、陰影領域Ｒ２は、本体領域Ｒ１の周囲に形成されている。図６では着用者がマスク１０３を着用した際に鼻に対応する部分１４を示し、着用者がマスク１０３を着用した際に輪郭に対応する部分１５を示している。本変形例では、図６に示すように、鼻に対応する部分１４の内側が本体領域Ｒ１となり、鼻に対応する部分１４の周囲に陰影領域Ｒ２が形成されている。
【００５８】
また、陰影領域Ｒ２は、鼻に対応する部分１４付近から輪郭に対応する部分１５にむかって色が徐々に暗くなる。言い換えると、陰影領域Ｒ２は、鼻付近が最も明るい色で輪郭に近づくにつれて色が暗くなるグラデーションにより形成されている。
【００５９】
マスク１０３では、陰影領域Ｒ２は、マスク本体部１１において着用者の鼻に対応する部分１４の周囲に形成されているため、マスク着用時において、顔の中心が明るく輪郭側が暗くなる。そのため、顔の中心が前に出る立体感が生じ、小顔効果が得られる。
【００６０】
（変形例４）
本考案の実施形態の変形例４について、図７に基づき説明する。図７は、マスク１００の変形例４であるマスク１０４を示す側面図である。マスク１０４は、マスク１００と比較して、複数の線（錯視部）Ｐ１が設けられている点が異なり、その他の構成は同じである。
【００６１】
マスク本体部１１には、互いに並行する複数の線Ｐ１を含む模様が外面１１Ａに形成されている。複数の線Ｐ１は、マスク本体部１１を立体的に見せる錯視が生じるように外面１１Ａに形成されている。線Ｐ１は、図７に示すように、マスク本体部１１の底辺１１Ｆから、マスク１０４を左右方向ｘに略二分する中央線１１Ｇに向かって複数形成されている。線Ｐ１は、互いに隣り合う線Ｐ１同士の間隔がそれぞれ異なる。複数の線Ｐ１は、左右方向ｘと直交する上下方向ｙの上側から下側へ向かって間隔が小さくなる。言い換えると、互いに隣り合う線Ｐ１同士の間隔は、上下方向ｙの上側に向かうほど広く、下側へ向かうほど狭くなる。これにより、マスク１０４の装着時にマスク１０４を立体的に見せることができ、小顔効果が得られる。
【００６２】
なお、図７では、マスク１０４の半面のみ図示されているが、図示されていない半面については、中央線１１Ｇを軸として略線対称に形成されている。
【００６３】
（変形例５）
本考案の実施形態の変形例５について、図８に基づき説明する。図８は、マスク１００の変形例５であるマスク１０５を示す側面図である。マスク１０５は、マスク１０４と比較して、複数の線Ｐ１に替わって複数の線（錯視部）Ｐ２が設けられている点が異なり、その他の構成は同じである。
【００６４】
マスク本体部１１には、互いに並行する複数の線Ｐ２を含む模様が外面１１Ａに形成されている。複数の線Ｐ２は、マスク本体部１１を立体的に見せる錯視が生じるように外面１１Ａに形成されている。線Ｐ２は、図８に示すように、両側部１１Ｂから、着用者がマスク１０５を着用した際に着用者の鼻の頂点に対応する部分１６に向かって凸となる曲線で、等高線のように複数形成されている。
【００６５】
また、隣り合う線Ｐ２の間隔は、マスク本体部１１の鼻の頂点に対応する部分１６から両側部１１Ｂへ向かって小さくなっている。言い換えると、互いに隣り合う線Ｐ２同士の間隔は、鼻の頂点に対応する部分１６に向かうほど広く、両側部１１Ｂへ向かうほど狭くなる。これにより、マスク１０５の装着時にマスク１０５を立体的に見せることができ、小顔効果が得られる。
【００６６】
なお、図８においても、マスク１０５が半面のみ図示されているが、図示されていない半面については、中央線１１Ｇを軸として略線対称に形成されている。
【００６７】
また、変形例４及び変形例５において、マスク１０４及びマスク１０５に陰影領域Ｒ２が設けられず、錯視部として線Ｐ１または線Ｐ２のみが設けられていてもよい。
【００６８】
（変形例６）
本考案の実施形態の変形例６について、図９に基づき説明する。図９は、マスク１００の変形例６であるマスク１０６を示す側面図である。マスク１０６は、マスク１００と比較して、陰影領域Ｒ２に複数のドットＱ１を含むことが異なり、その他の構成は同じである。
【００６９】
図９に示すように、マスク１０６において、陰影領域Ｒ２は、寸法（径）が同一である複数のドットＱ１を含む。陰影領域Ｒ２は、本体領域Ｒ１との境界から遠ざかる方向へ向かって、配置されるドットＱ１の数が多くなる。言い換えると、マスク１０６では、本体領域Ｒ１との境界から遠ざかる方向へ向かって、陰影領域Ｒ２におけるドットＱ１の密度が高くなる。
【００７０】
これにより、マスク１０６では、マスク本体部１１の両側部１１Ｂが、マスク本体部１１の本体領域Ｒ１と比較して相対的に暗くなり、マスク装着時に着用者の顔の側面部分の奥行き感が強調され、顔の幅が狭く見える視覚効果が生じる。そのため、マスク着用時に小顔効果が得られる。
【００７１】
（変形例７）
本考案の実施形態の変形例７について、図１０に基づき説明する。図１０は、マスク１００の変形例７であるマスク１０７を示す側面図である。マスク１０７は、マスク１０６と比較して、複数のドットＱ１に代えて複数のドットＱ２を含むことが異なり、その他の構成は同じである。
【００７２】
図１０に示すように、マスク１０７において、陰影領域Ｒ２は、寸法（径）が異なる複数のドットＱ２を含む。陰影領域Ｒ２は、本体領域Ｒ１との境界から遠ざかる方向へ向かって、ドットＱ２の寸法が大きくなる。言い換えると、マスク１０７では、本体領域Ｒ１との境界から遠ざかる方向へ向かって、陰影領域Ｒ２におけるドットＱ２の密度が高くなる。
【００７３】
これにより、マスク１０７では、マスク本体部１１の両側部１１Ｂが、マスク本体部１１の本体領域Ｒ１と比較して相対的に暗くなり、マスク装着時に着用者の顔の側面部分の奥行き感が強調され、顔の幅が狭く見える視覚効果が生じる。そのため、マスク着用時に小顔効果が得られる。
【００７４】
なお、ドットＱ１およびドットＱ２に代えて、陰影領域Ｒ２に複数の線により例えば縦縞（ストライプ）を形成し、該線の幅または間隔を調整することにより、陰影領域Ｒ２を構成してもよい。例えば、陰影領域Ｒ２において、本体領域Ｒ１との境界から遠ざかる方向へ向かって、隣り合う線の幅を太くしてもよく、または該線の間隔を狭くしてもよい。
【００７５】
〔実施形態２〕
本考案の実施形態２について、以下に説明する。なお、説明の便宜上、前記実施形態にて説明した部材と同じ機能を有する部材については、同じ符号を付記し、その説明を繰り返さない。
【００７６】
（マスク２００の構成）
図１１は、本考案の実施形態２に係るマスク２００の構成例を示す斜視図である。マスク２００は、不織布で構成されていることが上述したマスク１００と異なる。本実施形態のマスク２００は、図１１に示すように、マスク本体部２１と耳掛部２２と、を備えている。
【００７７】
マスク本体部２１は、着用者の鼻孔及び口許を覆う。マスク本体部２１は、正面から見て、左右方向ｘに長く、上下方向ｙに短い略矩形の形状を有している。ただし、マスク本体部２１の形状は、鼻孔及び口許を覆うことが可能ならばこの例に限定されない。
【００７８】
マスク本体部２１は、複数の襞部２４を含んでいる（プリーツ型構造）。複数の襞部２４は、左右方向ｘに沿って延伸し、上下方向ｙに互いに略平行に並んでいる。複数の襞部２４の各々は、上下方向ｙに蛇腹状に折り畳まれマスク本体部２１と着用者との間に空間を形成する。
【００７９】
また、マスク本体部２１は、その上端部に、左右方向ｘに延伸するノーズフィット部材２５を備えている。ノーズフィット部材２５は、指先で容易に塑性変形させることができる金属の細片を含む。着用者は、２本の指でノーズフィット部材２５を変形させ、マスク本体部２１の上端部を鼻筋とその両側部分とにフィットさせることができる。
【００８０】
マスク本体部２１は、外面２１Ａに本体領域Ｒ１０と、本体領域Ｒ１０の色よりも相対的に暗い陰影領域（錯視部）Ｒ２０とを含む。陰影領域Ｒ２０は、マスク本体部２１の両側部２１Ｂに形成されている。本体領域Ｒ１０は上述した本体領域Ｒ１に対応し、陰影領域Ｒ２０は上述した陰影領域Ｒ２に対応する。
【００８１】
一対の耳掛部２２は、マスク本体部２１における左右方向ｘの両側部２１Ｂに融着部２３で融着されている。一対の耳掛部２２は、例えばゴム紐で構成される。
【００８２】
（マスク２００の効果）
このように、マスク２００は、着用者の鼻孔及び口許を覆う、不織布で構成されるマスク本体部２１と、マスク本体部２１の左右方向ｘの両側部２１Ｂに接続された一対の耳掛部２２とを備える。マスク本体部２１は、該マスク本体部２１の外面２１Ａに、本体領域Ｒ１０と該本体領域Ｒ１０の色よりも相対的に暗い陰影領域Ｒ２０とを含み、陰影領域Ｒ２０は、少なくともマスク本体部２１の両側部２１Ｂに形成される。
【００８３】
マスク２００では、マスク本体部２１の両側部２１Ｂに陰影領域Ｒ２０が形成されているため、マスク装着時に着用者の顔の側面部分の奥行き感が強調され、顔の幅が狭く見える視覚効果が生じる。従って、本実施形態によれば、マスク着用時に小顔効果が得られる、不織布で構成されたマスク２００を実現することができる。
【００８４】
本考案は上述した各実施形態に限定されるものではなく、請求項に示した範囲で種々の変更が可能であり、異なる実施形態にそれぞれ開示された技術的手段を適宜組み合わせて得られる実施形態についても本考案の技術的範囲に含まれる。さらに、各実施形態にそれぞれ開示された技術的手段を組み合わせることにより、新しい技術的特徴を形成することができる。
【符号の説明】
【００８５】
１１、２１  マスク本体部
１１Ａ、２１Ａ  外面
１１Ｂ、２１Ｂ  両側部
１１Ｇ  中央線
１２、２２  耳掛部
１４  鼻に対応する部分
１００、１０１、１０２、１０３、１０４、１０５、２００  マスク
Ｐ１、Ｐ２  線（錯視部）
Ｑ１、Ｑ２  ドット（錯視部・陰影領域）
Ｒ１、Ｒ１０  本体領域
Ｒ２、Ｒ２−１、Ｒ２−２、Ｒ２０  陰影領域（錯視部・陰影領域）
ｘ  左右方向（幅方向）
ｙ  上下方向
【図１】
0003231655.tif 000003
【図２】
0003231655.tif 000004
【図３】
0003231655.tif 000005
【図４】
0003231655.tif 000006
【図５】
0003231655.tif 000007
【図６】
0003231655.tif 000008
【図７】
0003231655.tif 000009
【図８】
0003231655.tif 000010
【図９】
0003231655.tif 000011
【図１０】
0003231655.tif 000012
【図１１】
0003231655.tif 000013